【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
内燃機関のためのピストンであって、
中心長手方向軸に沿って延在するピストン本体を備え、前記ピストン本体は、燃焼力が前記ピストン本体を前記中心長手方向軸に沿って往復させるように作用する上部燃焼面を有し、前記ピストン本体は、前記上部燃焼面から垂下する環状外壁を有し、リングベルト領域が前記環状外壁に形成され、前記リングベルト領域は、前記長手方向軸に沿って互いに離間される複数の環状リング溝を含み、前記ピストンはさらに、
前記リング溝の１つに配置される圧縮リングと、
前記圧縮リングよりも前記上部燃焼面からさらに離れた前記リング溝の１つに配置されるオイルコントロールリングとを備え、前記オイルコントロールリングは、前記中心長手方向軸に対して略横方向に延在する上面および下面と、前記上面と前記下面との間に延在する内面および外面とを有し、前記上面および前記下面は各々、その中に延在する環状溝を有する、ピストン。
【請求項２】
前記環状溝間に延在して前記環状溝を互いに流体連通させる、少なくとも１つの貫通開口部をさらに備える、請求項１に記載のピストン。
【請求項３】
周方向に連続的な壁が前記少なくとも１つの貫通開口部を画定する、請求項２に記載のピストン。
【請求項４】
前記少なくとも１つの貫通開口部は、複数の貫通開口部を含む、請求項２に記載のピストン。
【請求項５】
前記複数の貫通開口部は、互いに周方向に均等に等間隔で離間される、請求項４に記載のピストン。
【請求項６】
前記環状溝は、互いに鏡像の構成を有する、請求項１に記載のピストン。
【請求項７】
前記内面の中へ延在する環状のエキスパンダ溝をさらに含み、エキスパンダリングが前記エキスパンダ溝に配置される、請求項１に記載のピストン。
【請求項８】
前記上面および前記下面の少なくとも１つから径方向外側に前記外面に向かって斜めに延在する、少なくとも１つのテーパ面をさらに含む、請求項１に記載のピストン。
【請求項９】
前記少なくとも１つのテーパ面は、前記外面に向かって集まる１対のテーパ面を含む、請求項８に記載のピストン。
【請求項１０】
前記少なくとも１つのテーパ面は、前記上面から垂下し、前記テーパ面の下に環状凹状面をさらに含む、請求項８に記載のピストン。
【請求項１１】
内燃機関のピストンのためのオイルコントロールリングであって、
中心軸の周りに延在する環状本体を備え、前記環状本体は、前記中心軸に対して略横方向に延在する実質的に平面の上面および下面と、前記上面と前記下面との間に延在する内側凹状面および外側凸状面とを有し、前記上面および前記下面は各々、その中に延在する環状溝を有するオイルコントロールリング。
【請求項１２】
前記環状溝間に延在して前記環状溝を互いに流体連通させる、少なくとも１つの貫通開口部をさらに含む、請求項１１に記載のオイルコントロールリング。
【請求項１３】
前記少なくとも１つの貫通開口部は、複数の貫通開口部を含む、請求項１２に記載のオイルコントロールリング。
【請求項１４】
前記複数の貫通開口部は、互いに周方向に均等に等間隔で離間される、請求項１３に記載のオイルコントロールリング。
【請求項１５】
前記内側凹状面の中へ延在する環状のエキスパンダ溝をさらに含み、エキスパンダリングが前記エキスパンダ溝に配置される、請求項１４に記載のオイルコントロールリング。
【請求項１６】
前記上面および前記下面の少なくとも１つから径方向に離れるように前記外面に向かって斜めに延在する少なくとも１つのテーパ面をさらに含む、請求項１１に記載のオイルコントロールリング。
【請求項１７】
前記少なくとも１つのテーパ面は、前記外面に向かって集まる１つのテーパ面を含む、請求項１６に記載のオイルコントロールリング。
【請求項１８】
前記少なくとも１つのテーパ面は、前記上面から垂下し、前記テーパ面の下に環状凹状面をさらに含む、請求項１６に記載のオイルコントロールリング。
【請求項１９】
内燃機関のためのピストンを構築する方法であって、
ピストン本体を提供することを含み、前記ピストン本体は、中心長手方向軸に沿って延在し、燃焼力が前記ピストン本体を前記中心長手方向軸に沿って往復させるように作用する上部燃焼面を有し、前記上部燃焼面から垂下する環状外壁を有し、リングベルト領域が前記環状外壁に形成され、前記リングベルト領域は、複数の環状リング溝を含み、前記方法はさらに、
第１の圧縮リングを前記上部燃焼面の最も近くの前記リング溝の１つに配置することと、
オイルコントロールリングを前記第１の圧縮リングよりも前記上燃焼面からさらに離れた前記リング溝の１つに配置することと、
前記中心長手方向軸に対して略横方向に延在する上面および下面と、前記上面と前記下面との間に延在する内面および外面とを有する前記オイルコントロールリングを提供し、その中に延在する環状溝を各々有する前記上面および前記下面を提供することを備える、方法。
【請求項２０】
前記環状溝間に延在して前記環状溝を互いに流体連通させる少なくとも１つの貫通開口部を有する前記オイルコントロールリングを提供することをさらに含む、請求項１９に記載の方法。
【請求項２１】
前記少なくとも１つの貫通開口部を複数の貫通開口部として提供することをさらに含む、請求項２０に記載の方法。
【請求項２２】
前記上面および下面の少なくとも１つから径方向に離れるように前記外面に向かって斜めに延在する少なくとも１つのテーパ面を提供することをさらに含む、請求項１９に記載の方法。
【請求項２３】
前記少なくとも１つのテーパ面を前記外面に向かって集まる１対のテーパ面として提供することを含む、請求項２２に記載の方法。
【請求項２４】
前記上面から垂下する前記少なくとも１つのテーパ面を提供することをさらに含み、前記テーパ面の下に環状凹状面を提供することをさらに含む、請求項２２に記載の方法。
【請求項２５】
オイルコントロールリングを構築する方法であって、
中心軸に対して略横方向に延在する実質的に平面の上面および下面を有する環状本体を獲得することを含み、前記本体は、前記上面と前記下面との間に延在する内側凹状面および外側凸状面を有し、前記方法は、
前記上面および前記下面に環状溝を形成することを備える、方法。
【請求項２６】
前記環状溝を通って延在する少なくとも１つの開口部を形成することによって、前記環状溝を互いに流体連通させることをさらに含む、請求項２５に記載の方法。
【請求項２７】
前記少なくとも１つの貫通開口部を互いに離間された複数の貫通開口部として提供することをさらに含む、請求項２６に記載の方法。
【請求項２８】
前記複数の開口部に互いに均等に等間隔で間隔を空けることをさらに含む、請求項２７に記載の方法。
【請求項２９】
環状エキスパンダ溝を前記内側凹状面に形成することをさらに含む、請求項２５に記載の方法。
【請求項３０】
前記上面および前記下面の少なくとも１つから径方向外側に前記外面に向かって斜めに延在する少なくとも１つのテーパ面を形成することをさらに含む、請求項２５に記載の方法。
【請求項３１】
前記少なくとも１つのテーパ面を前記外面に向かって集まる１対のテーパ面として形成することをさらに含む、請求項３０に記載の方法。
【請求項３２】
前記上面から垂下する前記少なくとも１つのテーパ面を形成することをさらに含み、前記テーパ面の下に環状凹状面を形成することをさらに含む、請求項３０に記載の方法。
【手続補正２】
【補正対象書類名】明細書
【補正対象項目名】００３１
【補正方法】変更
【補正の内容】
【００３１】
本発明の別の局面によれば、内燃機関のためのピストン１０，１０’を構築する方法が提供される。当該方法は、中心長手方向軸１４，１４’に沿って延在し、燃焼力がピストン本体１２，１２’を中心長手方向軸１４，１４’に沿って往復させるように作用する上部燃焼面３０，３０’を有する、ピストン本体１２，１２’を提供することを含む。さらに、リングベルト領域３８，３８’がその中に形成され、リングベルト領域３８，３８’が複数の環状リング溝４０，４０’，４２，４２’を含む、上部燃焼面３０，３０’から垂下する環状外壁３４，３４’を有するピストン本体１２，１２’を提供することを含む。さらに、第１の圧縮リング４４を上部燃焼面３０，３０’の最も近くのリング溝４０，４０’の１つに配置し、オイルコントロールリング４６’，４６”をリング溝４０，４０’よりも上部燃焼面３０，３０’からさらに離れたリング溝４２，４２’の１つに配置することを含む。またさらに、中心長手方向軸１４，１４’に対して略横方向に延在する上面６０’，６０”および下面６２’，６２”と、上面６０，６０”と下面６２’，６２”との間に延在する内面６４’，６４”および外面６６’，６６”とを有するオイルコントロールリング４６’，４６”を提供し、その中に延在する環状溝６８’，７０’，６８”，７０”を各々有する上面６０’，６０”および下面６２’，６２”を提供することを含む。当該方法は、環状溝６８’，７０’，６８”，７０”を互いに流体連通させる１つ以上の貫通開口部７２’，７２”などの上述されたような構成を有するそれぞれのオイルコントロールリング４６’，４６”を提供することをさらに備えてもよい。